【手続補正書】
【提出日】平成17年1月13日(2005.1.13)
【手続補正１】
【補正対象書類名】明細書
【補正対象項目名】発明の名称
【補正方法】変更
【補正の内容】
【発明の名称】再生器、それを用いたスターリング冷凍機及び流動ガスの熱再生システム
【手続補正２】
【補正対象書類名】明細書
【補正対象項目名】特許請求の範囲
【補正方法】変更
【補正の内容】
【特許請求の範囲】
【請求項１】
帯状の樹脂フィルムを巻回してなる円筒型の再生器において、再生器の端縁から所定幅部分の樹脂フィルムを２層構造にしたことを特徴とする再生器。
【請求項２】
前記樹脂フィルムの表面に微小な突起が複数設けられていることを特徴とする請求項１に記載の再生器。
【請求項３】
前記２層構造にする層の熱伝導率を前記樹脂フィルムよりも高くしたことを特徴とする請求項１に記載の再生器。
【請求項４】
前記熱伝導率の高い層は、熱伝導率の高い成分を含む樹脂層であり、その熱伝導率の高い成分は、金、銀、銅、アルミ、カーボンのいずれか１つの微粒子であることを特徴とする請求項３に記載の再生器。
【請求項５】
２枚の帯状の樹脂フィルムに、これらの樹脂フィルムよりも熱伝導率の高い層をラミネート加工したものを巻回してなる円筒型の再生器。
【請求項６】
請求項１〜５のいずれかに記載の再生器を用いて成るスターリング冷凍機。
【請求項７】
請求項１〜５のいずれかに記載の再生器を、往復するガスの流路に配置したことを特徴とする流動ガスの熱再生システム。
【手続補正３】
【補正対象書類名】明細書
【補正対象項目名】０００１
【補正方法】変更
【補正の内容】
【０００１】
【発明の属する技術分野】
本発明は、再生器、それを用いたスターリング冷凍機及び流動ガスの熱再生システムに関するものである。
【手続補正４】
【補正対象書類名】明細書
【補正対象項目名】０００９
【補正方法】変更
【補正の内容】
【０００９】
【課題を解決するための手段】
上記目的を達成するため本発明は、帯状の樹脂フィルムを巻回してなる円筒型の再生器において、再生器の端縁から所定幅部分の樹脂フィルムを２層構造にしている。そして、前記２層構造にする層の熱伝導率を前記樹脂フィルムよりも高くしている。圧縮により高温になった作動ガスが高温端より再生器に流入すると、作動ガスの持つ熱エネルギーは樹脂フィルムに蓄熱される。このとき、樹脂フィルム上の前記熱伝導率の高い層は、熱伝導率が充分高いため、熱エネルギーはまず樹脂層に沿って伝わり、次に樹脂フィルムの全体に蓄熱される。逆に、膨張により低温になった作動ガスが低温端から再生器に流入すると、蓄熱された熱エネルギーが放熱される。このとき、熱エネルギーは樹脂層に沿って伝わり、樹脂フィルムの全体から作動ガスに放熱される。
【手続補正５】
【補正対象書類名】明細書
【補正対象項目名】００１０
【補正方法】削除
【補正の内容】
【手続補正６】
【補正対象書類名】明細書
【補正対象項目名】００１２
【補正方法】変更
【補正の内容】
【００１２】
また、本発明の他の例の再生器は、２枚の帯状の樹脂フィルムに、これらの樹脂フィルムよりも熱伝導率の高い層をラミネート加工したものを巻回したことを特徴とする。これにより、熱伝導率の高い層が外部に露出しなくなる。
【手続補正７】
【補正対象書類名】明細書
【補正対象項目名】００１３
【補正方法】変更
【補正の内容】
【００１３】
上記の場合、前記熱伝導率の高い層を円筒軸に関して平行な方向に所定の間隔を隔てて形成すると、全体に形成する場合よりその面積が小さくなる。
【手続補正８】
【補正対象書類名】明細書
【補正対象項目名】００１４
【補正方法】変更
【補正の内容】
【００１４】
また、樹脂フィルム上の前記熱伝導率の高い層を円筒軸方向の両端から所定の距離の部分に形成すると、全体に形成する場合よりその面積が小さくなる。
【手続補正９】
【補正対象書類名】明細書
【補正対象項目名】００１５
【補正方法】変更
【補正の内容】
【００１５】
或いは、樹脂フィルム上の前記熱伝導率の高い層を円筒軸方向の両端から所定の距離の部分に間隔を隔てて形成すると、前記熱伝導率の高い層のない樹脂フィルムの中央部は、比較的熱伝導性が低いため、樹脂フィルムに蓄熱された熱が逃げにくくなる。
【手続補正１０】
【補正対象書類名】明細書
【補正対象項目名】００１６
【補正方法】変更
【補正の内容】
【００１６】
前記熱伝導率の高い層は、熱伝導率の高い成分を含む樹脂のインキ料として樹脂フィルム上に印刷加工することにより、容易に形成できる。この場合、熱伝導性の高い成分としては、金、銀、銅、アルミ、カーボンのいずれか１つの微粒子を好適に使用できる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
一般にフリーピストン型と呼ばれるスターリング冷凍機は、作動ガスの封入されたシリンダと、このシリンダ内で往復運動するように配されたピストンと、前記シリンダ内の先端側に配され前記ピストンと異なる位相で往復運動するディスプレーサと、前記ディスプレーサと前記シリンダの先端との間に形成された膨張空間と、前記ディスプレーサと前記ピストンとの間に形成された圧縮空間と、前記膨張空間と前記圧縮空間とを連通する前記作動ガスの流路に配された再生器とを有している。このフリーピストン型スターリング冷凍機の再生器として、上記の再生器を好適に用いることができる。
【手続補正１３】
【補正対象書類名】明細書
【補正対象項目名】００４５
【補正方法】変更
【補正の内容】
【００４５】
【発明の効果】
以上説明したように本発明では、帯状の樹脂フィルムを巻回してなる円筒型の再生器において、再生器の少なくとも端縁から所定幅部分の樹脂フィルムを２層構造にしている。そして、前記２層構造にする層の熱伝導率を前記樹脂フィルムよりも高くしている。圧縮により高温になった作動ガスが高温端より再生器に流入すると、作動ガスの持つ熱エネルギーは樹脂フィルムに蓄熱される。このとき、樹脂フィルム上の前記熱伝導率の高い層は、熱伝導率が充分高いため、熱エネルギーはまず樹脂層に沿って伝わり、次に樹脂フィルムの全体に蓄熱される。これにより、充分な蓄熱量が得られる。逆に、膨張により低温になった作動ガスが低温端から再生器に流入すると、蓄熱された熱エネルギーが放熱される。このとき、熱エネルギーは前記熱伝導率の高い層に沿って伝わり、樹脂フィルムの全体から作動ガスに放熱される。これにより、充分な放熱量が得られる。従って、再生器の再生エネルギー効率が向上する。
【手続補正１４】
【補正対象書類名】明細書
【補正対象項目名】００４６
【補正方法】削除
【補正の内容】
【手続補正１５】
【補正対象書類名】明細書
【補正対象項目名】００４８
【補正方法】変更
【補正の内容】
【００４８】
また、本発明の他の例の再生器では、２枚の帯状の樹脂フィルムに、これらの樹脂フィルムよりも熱伝導率の高い層をラミネート加工したものを巻回したことにより、前記層が外部に露出しなくなるで、温度変化、圧力変動による脱落の恐れがなく、耐久性が大幅に向上する。
【手続補正１６】
【補正対象書類名】明細書
【補正対象項目名】００４９
【補正方法】変更
【補正の内容】
【００４９】
上記の場合、前記熱伝導率の高い層を円筒軸に関して平行な方向に所定の間隔を隔てて形成すると、全体に形成する場合よりその面積が小さくなる。その分、熱伝導性の高い成分の使用量が少なくて済むため、コストダウンが図られる。また、前記層のない部分は、比較的熱伝導性が低いため、樹脂フィルムに蓄熱された熱が逃げにくくなる。よって、再生器の蓄熱量が増加する。
【手続補正１７】
【補正対象書類名】明細書
【補正対象項目名】００５０
【補正方法】変更
【補正の内容】
【００５０】
また、樹脂フィルム上の前記熱伝導率の高い層を円筒軸方向の両端から所定の距離の部分に形成すると、全体に形成する場合よりその面積が小さくなる。その分、熱伝導性の高い成分の使用量が少なくて済むため、コストダウンが図られる。しかも、この部分は熱エネルギーの再生に寄与する割合が高いので、再生器の性能が落ちるということもほとんどない。
【手続補正１８】
【補正対象書類名】明細書
【補正対象項目名】００５１
【補正方法】変更
【補正の内容】
【００５１】
或いは、樹脂フィルム上の前記熱伝導率の高い層を円筒軸方向の両端から所定の距離の部分に間隔を隔てて形成すると、前記熱伝導率の高い層のない樹脂フィルムの中央部は、比較的熱伝導性が低いため、樹脂フィルムに蓄熱された熱が逃げにくくなる。よって、再生器の蓄熱量が増加する。
【手続補正１９】
【補正対象書類名】明細書
【補正対象項目名】００５２
【補正方法】変更
【補正の内容】
【００５２】
前記熱伝導率の高い層は、熱伝導率の高い成分を含む樹脂のインキ料として樹脂フィルム上に印刷加工することにより、容易に形成できる。この場合、熱伝導性の高い成分としては、金、銀、銅、アルミ、カーボンの少なくとも１つの微粒子を好適に使用できる。
【手続補正２０】
【補正対象書類名】明細書
【補正対象項目名】００５３
【補正方法】削除
【補正の内容】